(57)【要約】【課題】地上波デジタル放送においてデータ放送コンテンツの配信時に配信元チャンネルと配信先チャンネルのネットワークＩＤ、トランスポートストリームＩＤ、サービスＩＤ等の番組情報が異なるため、配信元番組情報が書かれたままのデータ放送コンテンツでは遷移や選局を行なう命令ができなくなる。そのため、配信地域で配信元番組情報を配信先番組情報に変換する作業が発生するが、変換作業による編集ミスを犯したり、ひとたび放送が開始したデータ放送コンテンツのＡＶ参照命令は途中で変更するのが困難である。【解決手段】配信元において、あらかじめ配信元番組特性情報を多重しておき、配信先でチャンネル参照または選局する際、あらかじめ組み込んでいた配信元番組特性情報を元に参照チャンネルまたは選局チャンネルを決定する番組推定決定手段１５２を備えた構成とした。【選択図】  図２
2004357172.tif 000002
【特許請求の範囲】
【請求項１】
放送番組に付加されている番組情報（以下番組配列情報と記載）に、放送番組を特徴づけることのできる番組特性情報を付加する番組特性情報付加手段を有し、前期番組特性情報を付加した番組配列情報を送信する送信手段を有す送信システムと、前記送信システムから送られてくる放送波から、番組配列情報を取得する番組配列情報取得手段を有し、前記番組配列情報から前記番組特性情報を抜きだす情報抜き出し手段を有し、前記番組配列情報を記憶、または記録する番組配列情報記憶手段を有し、前記番組特性情報と前記番組配列情報を用いてチャンネルを決定するチャンネル決定手段を有し、各放送局の系列を判定する系列局判定手段を有し、前記チャンネル決定手段でチャンネルが確定できない場合に、前記系列局判定手段を用いて取得した系列情報、前記番組特性情報、前記番組配列情報を基にチャンネル候補を作り出し、ユーザーに選択させる番組選択手段を有する受信装置からなる送受信システム。
【請求項２】
放送番組に付加されている番組情報（以下番組配列情報と記載）に、放送番組を特徴づけることのできる番組特性情報を付加するステップと、前記番組特性情報を付加した番組配列情報を送信するステップと、前記送信システムから送られてくる放送波から、番組配列情報を取得するステップと、前記番組配列情報から前記番組特性情報を抜きだすステップと、前記番組配列情報を記憶、または記録するステップと、前記番組特性情報と前記番組配列情報を用いてチャンネルを決定するステップと、各放送局の系列を判定するステップと、前記系列局判定手段を用いて取得した系列情報、前記番組特性情報、前記番組配列情報を基にチャンネル候補を作り出すステップと、前記チャンネル候補をユーザーに選択させるステップを有する受信装置からなる送受信システム。
【請求項３】
放送番組に付加されている番組情報（以下番組配列情報と記載）に、放送番組を特徴づけることのできる番組特性情報を付加するステップと、前記番組特性情報を付加した番組配列情報を送信するステップと、前記送信システムから送られてくる放送波から、番組配列情報を取得するステップと、前記番組配列情報から前記番組特性情報を抜きだすステップと、前記番組配列情報を記憶、または記録するステップと、前記番組特性情報と前記番組配列情報を用いてチャンネルを決定するステップと、各放送局の系列を判定するステップと、前記系列局判定手段を用いて取得した系列情報、前記番組特性情報、前記番組配列情報を基にチャンネル候補を作り出すステップと、前記チャンネル候補をユーザーに選択させるステップを実行させるためのプログラムを記録したコンピュータ読み取り可能な記録媒体。
【請求項４】
放送番組に付加されている番組情報（以下番組配列情報と記載）に、放送番組を特徴づけることのできる番組特性情報を付加する番組特性情報付加手段を有し、前期番組特性情報を付加した番組配列情報を送信する送信手段を有す送信システムと、前記送信システムから送られてくる放送波から、番組配列情報を取得する番組配列情報取得手段を有し、前記番組配列情報から前記番組特性情報を抜きだす情報抜き出し手段を有し、前記番組配列情報を記憶、または記録する番組配列情報記憶手段を有し、前記番組特性情報と前記番組配列情報を用いてチャンネルを決定するチャンネル決定手段を有し、各放送局の系列を判定する系列局判定手段を有し、前記チャンネル決定手段でチャンネルが確定できない場合に、前記系列局判定手段を用いて取得した系列情報、前記番組特性情報、前記番組配列情報を基にチャンネル候補を作り出し、ユーザーに選択させる番組選択手段を機能させるためのプログラム。
【発明の詳細な説明】
【０００１】
【発明の属する技術分野】
本発明は、放送送信装置及びそれを用いる放送受信装置に関するものである。
【０００２】
特に、他の放送局への番組配信時における変換作業の削減、変換ミス、コンテンツによる選局間違えを防ぐことを可能とする放送受信方法、放送受信装置、またはそれらに用いられるコンピュータプログラムに関するものである。
【０００３】
【従来の技術】
デジタル放送において、データ放送コンテンツに選局やオーディオや映像（以下ＡＶと表記）の参照を行なう命令が書かれていた場合、放送を行なっているチャンネルを確定する要素（以下放送チャンネル確定要素と記載）であるネットワークＩＤ、トランスポートストリームＩＤ、サービスＩＤ、コンポーネントタグ等を元に特定チャンネルの選局やＡＶ参照を行うことが可能である。（ＡＲＩＢＴＲ−Ｂ２４  第二編  ＸＭＬベースのマルチメディア符号化方式  ７．５．１  ＥＰＧ関連機能  ・ｅｐｇＴＵＮＥ（）、９．２．３  ＡＶストリームの参照）。
【０００４】
しかし、日本の地上波デジタル放送の場合、ネットワークＩＤ、トランスポートストリームＩＤは各送出マスタ（放送事業者）毎にユニークな値を、サービスＩＤについてはさらにチャンネル毎にユニークな値を割り当てられている（ＡＲＩＢ  ＴＲ−Ｂ１４  第四編  地上波デジタルテレビジョン放送ＰＳＩ／ＳＩ運用規定  ５．３  識別子の運用）、そのため、ある地域Ａで作成されたデータ放送コンテンツに記載されている、例えば選局命令等は、地域Ａで受信できるネットワークＩＤ、トランスポートストリームＩＤ、サービスＩＤが書かれている。そのため、別地域Ｂに配信した時に、地域Ｂでは受信できないネットワークＩＤ、トランスポートストリームＩＤ，サービスＩＤがデータ放送コンテンツに記載されているため、選局等の命令が実行できなという問題が発生する（問題点１）。
【０００５】
前記問題点１を解決する手段として、別地域Ｂに配信された段階で、データ放送コンテンツに書かれている命令を、地域Ｂで放送しているネットワークＩＤ、トランスストリームＩＤ、サービスＩＤに変換した後、放送するという方法が考えられる（解決策１）。
【０００６】
また、前記問題点１とは別に、データ放送コンテンツが移動するのではなく、移動受信装置や引越し等により受信装置が別の地域に移動した場合も同様に、前記放送番組確定要素が異なるため、選局が困難になる（問題点２）。この問題を解決する手段として、移動前の地域と移動後の地域で同一系列局の放送局を同じチャンネル番号として割り当て、ユーザーに違和感なく選局操作させるという方法が考えられている（解決策２）（例えば、特許文献１参照）。
【０００７】
【特許文献１】
特開２００２−２４４８３２号公報
【０００８】
【発明が解決しようとする課題】
まず、前記解決策１では、変換時に編集ミスを犯すという不具合が発生したり、ひとたび放送し始めたデータ放送コンテンツに書かれた命令、例えば選局命令に書かれた放送番組確定要素を即座に変更すること（以下「リアルタイム性」と記載）が難しくなる（問題点３）。
【０００９】
次に、前記解決策２の場合、受信地域において同一系列局のチャンネルが１つならチャンネルを一意に決定することが可能であるが、同一系列局のチャンネルが複数にわたる場合、チャンネルが特定できないという問題が発生する（問題点４）。
【００１０】
本発明は配信元番組配列情報にあらかじめ、番組を特徴づける番組配列情報を多重し、送信または配信することにより、配信された地域の放送局において放送地域での前記番組確定要素を変換を行なわず、選局等の命令を速やかにかつ正確に行う送受信システムを提供することを目的とする。
【００１１】
【課題を解決するための手段】
上記課題を解決するために、本発明（請求項１）は、放送番組を特徴づけることのできる番組特性情報を付加する番組特性情報付加手段、前期番組特性情報を付加した番組配列情報を送信する送信手段、前記送信手段により送出された放送波から、番組配列情報を取得する番組配列情報取得手段、前記番組配列情報から前記番組特性情報を抜きだす情報抜き出し手段、前記番組配列情報、前記番組特性情報を記憶、または記録する番組配列情報記憶手段、前記番組特性情報と前記番組配列情報を基にチャンネルを決定するチャンネル決定手段、前記チャンネル決定手段で決定したチャンネルを選局する選局手段、前記チャンネル決定手段において、受信装置がチャンネルを自動で決定できなかった場合に、ユーザーに視覚的に番組候補を提示し選択させることことができる番組選択手段を備えた送受信システムである。
【００１２】
また、本発明（請求項２）に係るステップは、上記送受信システムを実施するためのステップであり、請求項３は上記送受信システムを実施するコンピュータプログラムを記録するものであり、請求項４はそのコンピュータプログラムそのものに関するものである。
【００１３】
【発明の実施の形態】
図１、図２は、本発明の実施の形態による放送送受信システムの構成を説明するための図である。以下、図１、図２を用いて上記放送送受信システムの構成を説明する。
【００１４】
まず、図１において、１０は放送信号として所定の符号化方式、例えばＭＰＥＧ（Ｍｏｖｉｇｎ  Ｐｉｃｔｕｒｅ  Ｉｍａｇｅ  Ｃｏｄｉｎｇ  Ｅｘｐｅｒｔｓ  Ｇｒｏｕｐ）の規格に従って符号化された映像信号、音声信号（以下ＡＶ信号と記載）であり、１２はマルチメディアの符号化方法（ＢＭＬ：Ｂｒｏａｄｃａｓｔ  Ｍａｒｋｕｐ  Ｌａｎｇｕａｇｅ、Ｂ−ＸＭＬ：Ｂｒｏａｄｃａｓｔ  ｅＸｔｅｎｓｉｂｌｅ  Ｍａｒｋｕｐ  Ｌａｎｇｕａｇｅ）に変換されたデータ放送コンテンツであり、前記ＡＶ信号１０を参照先とし表示する命令が書かれたデータ放送コンテンツである。１４はデジタル放送に必要な伝送制御信号や、電子番組ガイド送るために必要な信号を規定した番組配列情報であり、１６は前記ＡＶ信号１０の番組を特徴づけることのできる番組特性情報、たとえば「ＡＲＩＢ  ＴＲ−Ｂ１４  第四編  地上波デジタルテレビジョン放送ＰＳＩ／ＳＩ運用規定  ５．３  識別子の運用」に記載されているネットワークＩＤ（図１ではＮＥＴ＿ＩＤと記載）、トランスストリームＩＤ（図１ではＴＳ＿ＩＤと記載）、イベントＩＤ（図１ではＥＶＥＮＴ＿ＩＤと記載）を示す。１８は前記番組配列情報１４と前記番組特性情報１６を多重化する番組配列情報多重化部であり、前記番組配列情報１４内に含まれる情報、たとえば、「ＡＲＩＢ  ＴＲ−Ｂ１４  第四編  地上波デジタルテレビジョン放送ＰＳＩ／ＳＩ運用規定  ３１．３．２ＥＩＴ（イベントループ）に挿入する記述子」に記載されている、拡張形式イベント記述子のｔｅｘｔ＿ｃｈａｒフィールドに前記番組特性情報１６を記載し、多重化する。（以下多重化された情報を多重化番組配列情報Ａと記載）。地域Ａで作成された、前記ＡＶ信号１０、前記データ放送コンテンツ１２、前記多重化番組配列情報Ａはネットワークを通じて地域Ｂに配信される。
【００１５】
２０は地域Ｂに配送されたＡＶ信号、２２は地域Ｂに配送されたデータ放送コンテンツであり、２４は地域Ａで作成された前記多重化番組配列情報Ａを元に地域Ｂでの多重化番組配列情報を生成する番組配列情報生成部であり、多重化番組配列情報２６を生成する。ただし、作成時には多重化された前記番組特性情報１６は保存されているものとする。３０は前記ＡＶ信号２０、データ放送コンテンツ２２、多重化配列情報２６を多重化し、トランスポートストリームというデータ系列に変換する。４０は前記多重化部３０で多重化したトランスポートストリームを効率的に多くのデータを電波に乗せるための信号に変換する変調部であり、送信部５０から送信される。
【００１６】
図２において、送信された電波は受信部１１０で受信され、復調部１２０でトランスポートストリームに復調される。トランスポートストリームは多重化分離部１３０で分離され、ＡＶ信号１４０、データ放送コンテンツ１４２、多重化番組配列情報１４４に分離される。分離された多重化番組配列情報１４４は番組特性情報分離部１４６で番組配列情報１４８と番組特性情報１５０に分離される。番組推定決定部１５２（詳細は後ほど記載）は分離された前記データ放送コンテンツ１４２、前記番組配列情報１４８、前記番組特性情報１５０の情報等を用いて前記データ放送コンテンツ１４４に書かれた命令が意図とする番組を推定し、前記データ放送コンテンツ１４２の参照先として指定し、出力部１５４でＡＶ信号１４０をデコードし出力する。
【００１７】
図３は本実施の形態の放送送受信システムにおけるの番組推定決定部１５２の詳細な構成を示す図である。
【００１８】
図３において２１０は番組推定部１５２の制御を行う中央処理装置（以降、ＣＰＵと記す）である。２１２はＣＰＵ２１０に接続された各手段を制御するためのコンピュータプログラムが格納されたプログラムＲＯＭであり、ＣＰＵ２１０がデータの読み出しなどの制御を行うために用いられる。２１４はＣＰＵ２１０が情報の演算、制御を行うときに一時的に情報を格納するためのワークＲＡＭである。２１６は系列局判定手段であり、系列局情報取得手段２３０を用いて、例えば放送波から放送局Ａが系列ＡＡという情報を取得し、所望する放送局の系列を判定する。２２４は前記番組配列情報１４８を入力する番組配列情報入力手段であり、２２６は前記番組特性情報１５０が入力される番組特性情報入力手段である。また、２３２は前記系列局判定手段２１６で得られた系列局情報、各番組の前記番組配列情報１４８、前記番組特性情報１５０をあらかじめ記憶しておく読み書き可能な記憶媒体である。２１８は、前記データ放送コンテンツ１４２に書かれた例えばＡＶ参照命令を受け付ける命令入力手段２２８により得られた情報と、
前記番組特性情報、番組配列情報を元に、チャンネルを推定し決定するチャンネル決定手段である（詳細は後ほど示す）。チャンネル決定手段で決定された受信可能チャンネル情報、例えばネットワークＩＤ、サービスＩＤ、系列情報と、番組特性情報にかかれている例えばネットワークＩＤ，サービスＩＤの関係は次回番組推定時に円滑にチャンネルを推定するために、記憶媒体２３２に選局推定情報として記憶しておく（図４）。図４において、受信可能チャンネル情報のサービスＩＤ毎に、特性情報バッファを設けているが、１つのサービスに、特性情報バッファに記憶できる情報は任意に設定可能である。２２０は前記チャンネル決定手段２１８でチャンネルが決定できなかった場合に、前記系列局判定手段２１６、前記選局推定情報、前記番組配列情報、前記番組特性情報を基に番組を推定し、推定したチャンネルをユーザーに例えば視覚的に提示し選択させる番組選択手段（グラフィカルユーザーインターフェース：以下ＧＵＩと表記する）である。この処理の詳細を図５のフローチャートを用いて説明する。
【００１９】
図５においてまず、Ｓ０は前記データ放送コンテンツ１４２にチャンネル参照命令や選局命令等の命令が書かれていた場合にスタートする。次に前記データ放送コンテンツ１４２が参照先としているネットワークＩＤ、トランスポートストリームＩＤ、サービスＩＤが受信可能チャンネルの中で存在するか確認を行う（ステップＳ２）。受信可能チャンネルが存在する場合はそのチャンネルを参照先として処理し（ステップＳ２６）、存在しない場合は、前記命令入力手段２２８で入力されたチャンネル情報、例えばサービスＩＤと、番組特性情報にかかれたサービスＩＤが同じものを、前記命令入力手段に命令したチャンネルと同一ネットワーク内で探す（ステップＳ４）。同じものが見つかれば、前記命令入力手段２２８で入力された受信可能チャンネル情報と前記番組配列情報の関係を選局推定情報として記憶し（図４）、チャンネルを決定する（ステップＳ２６）。番組が見つからなかった場合、さらにステップＳ４と同様に、前記命令入力手段２２８で入力されたチャンネル情報と前記番組特性情報を前記命令入力手段２２８に命令したチャンネルと同じ系列局に対して比較を行う（ステップＳ６）。比較した結果、同じものがみつかれば、前記ステップＳ２４、ステップＳ２６の処理を行い、見つからなかった場合には前記ステップＳ４と同様の処理を、残りのチャンネルに対して行う（ステップＳ８）。みつかった場合には前記ステップＳ２４、ステップＳ２６の処理を行い、チャンネルを決定するが、みつからなかった場合、前記記録媒体２３２に記憶した、前記選局推定情報（図３）の番組特性バッファから前記命令入力手段２２８から入力されたチャンネル情報、例えばサービスＩＤが同じものがあるか確認する（ステップＳ１０）。同じものがある場合、ユーザーに対応する受信可能チャンネルを提示し（ステップＳ２０）、ユーザーに例えばＧＵＩを用いて確認をとる（ステップＳ２２）。ユーザーが同意した場合、前記ステップＳ２４、ステップＳ２６の処理を行い、チャンネルを決定する。ユーザーが同意しなかった場合、前記系列局情報手段２３０で取得した系列局情報と、前記命令入力手段２２８から得られたチャンネル情報を用いて、前記系列局判定手段２１６により、前記命令入力手段２２８から得られたチャンネルに対する、系列局を求める（ステップＳ１２）。求められた系列局と前記番組配列情報をもとに、現在受信可能なチャンネルから、同一系列のチャンネルをユーザーに提示して（ステップＳ１４）、例えばＧＵＩを用いて確認をとる（ステップＳ１６）。ユーザーが選択した場合、前記ステップＳ２４、ステップＳ２６の処理を行い、チャンネルを選択する。ユーザーが選択しなかった場合、チャンネルが存在しなかったことを提示し終了する（ステップＳ１８）。これらステップＳ２、ステップＳ４、ステップＳ６、ステップＳ８の処理を行なうことにより、選局等の命令を確実に行うことができる。また、確実に行うことが不可能でも、ステップＳ１０、ステップＳ１２、ステップＳ１４、ステップＳ１６、ステップＳ２２、ステップＳ２４を行うことにより、より可能性の高いチャンネルの選択が可能となる。
【００２０】
なお、上記の実施形態１では、系列局情報取得手段２３０を用いて系列局情報を取得したが、あらかじめ受信機に設定しておくことも可能である。また、放送波から取得せずとも、インターネット等のネットワークから取得することも可能である。また、図５において、ステップＳ４、ステップＳ６、ステップＳ８、ステップＳ１０の順序で処理したが、順序を変えて処理をすることも可能である。
【００２１】
なお、本実施の形態例ではコンピュータプログラムによってそれぞれの手段が制御されることで実現され、このコンピュータプログラムをフロッピー（Ｒ）ディスク等の記録媒体に記録しておくことにより、移送が可能になり、独立した他の放送受信装置においても容易に実施することができる。
【００２２】
【発明の効果】
以上のように本発明の放送送受信システムによれば、配信された地域の放送局においてデータ放送コンテンツに記載されている放送地域のネットワークＩＤ、トランスポートストリームＩＤ、サービスＩＤを変換せず、またリアルタイム性を損ねず、選局やＡＶ参照の命令を速やかにかつより正確に行う送受信システムを提供することが可能である。
【図面の簡単な説明】
【図１】本発明の実施の形態における放送送信システムの構成を示す図
【図２】本発明の実施の形態における放送受信システムの構成を示す図
【図３】放送受信装置の番組推定決定部１５２の詳細な構成を示す図
【図４】本発明の実施形態１における放送受信装置の番組推定部１５２で使用する選局推定情報を示す図
【図５】本発明の実施形態１における放送受信装置の番組推定をする動作のフロー図
【符号の説明】
１０  ＡＶ信号
１２  データ放送コンテンツ
１４  番組配列情報
１６  番組特性情報
１８  番組配列情報多重化部
２０  ＡＶ信号
２２  データ放送コンテンツ
２４  番組配列情報生成部
２６  番組配列情報
３０  多重化部
４０  変調部
５０  送信部
１１０  受信部
１２０  復調部
１３０  多重分離部
１４０  ＡＶ信号
１４２  データ放送コンテンツ
１４４  多重化番組配列情報
１４６  番組特性情報分離部
１４８  番組配列情報
１５０  番組特性情報
１５２  番組推定決定部
１５４  出力部
２１０  中央処理装置
２１２  プログラムＲＯＭ
２１４  ワークＲＡＭ
２１６  系列局判定手段
２１８  チャンネル決定手段
２２０  番組選択手段
２２４  番組配列情報入力手段
２２６  番組特性情報入力手段
２２８  命令入力手段
２３０  系列局情報取得手段
２３２  記憶媒体
【図１】
2004357172.tif 000003
【図２】
2004357172.tif 000004
【図３】
2004357172.tif 000005
【図４】
2004357172.tif 000006
【図５】
2004357172.tif 000007